(57)【要約】【課題】簡素な構成で、発光部を様々な態様で発光させることができる発光部を提供する。【解決手段】発光部３と、携帯情報端末１３と通信する通信部５と、通信部５で受信した携帯情報端末１３からの信号に応じて、発光部３を所定の発光パターンで発光させる制御部７とを有する発光具１である。【選択図】図３
2018142467.tif 000002
【特許請求の範囲】
【請求項１】
発光部と、
携帯情報端末と通信する通信部と、
前記通信部で受信した前記携帯情報端末からの信号に応じて、前記発光部を所定の発光パターンで発光させる制御部と、
を有することを特徴とする発光具。
【請求項２】
請求項１に記載の発光具において、
前記携帯情報端末を保持する保持部を有することを特徴とする発光具。
【請求項３】
請求項２に記載の発光具において、
前記携帯情報端末から電源の供給を受けるように構成されていることを特徴とする発光具。
【請求項４】
請求項２または請求項３に記載の発光具において、
前記保持部に保持されている携帯情報端末の位置情報取得部で取得した位置情報を示す信号を前記通信部で受け取ったときに、前記制御部は、前記受け取った位置情報に応じた発光パターンで、前記発光部を発光させるように構成されていることを特徴とする発光具。
【請求項５】
請求項２〜請求項４のいずれか１項に記載の発光具において、
前記保持部に保持されている携帯情報端末の加速度検出部で取得した加速度を示す信号を、前記通信部で受け取ったときに、前記制御部は、前記受け取った加速度に応じた発光パターンで、前記発光部を発光させるように構成されていることを特徴とする発光具。
【発明の詳細な説明】
【技術分野】
【０００１】
本発明は、発光具に係り、たとえば、コンサート会場で使用されるものに関する。
【背景技術】
【０００２】
従来、複数色を発光可能な発光部とメモリとを備え、上記メモリに格納されている発光パターンで、上記発光部が発光する色を変えるペンライトが知られている（たとえば、特許文献１参照）。
【先行技術文献】
【特許文献】
【０００３】
【特許文献１】特開２０１４−２１２０２１号公報
【発明の概要】
【発明が解決しようとする課題】
【０００４】
ところで、ペンライトをコンサート用ライト（ペンライト）としてコンサート会場で使用する場合、コンサートで演奏される楽曲等に合わせて、ペライトの使用者が自らの意志で発光部が発する色の変更を行うことを欲することが多々ある。
【０００５】
そこで、発光部が発する色が多種類である場合、ペンライトにプッシュボタン等のスイッチを複数設け、これらのスイッチのうちの１つのスイッチを押すことで、発光部が発光する色を切り換えるようにすることが考えられる。
【０００６】
しかし、このような複数のプッシュボタンを備えたペンライトでは、発光部が発光する色の種類が多い場合、プッシュボタンの数が多くなり、構成が煩雑になり、また、大型化し、高価になってしまうという問題がある。
【０００７】
この問題は、発光部が発光する色を変更することに加えて、発光部での発光パターン（点滅やグラデーション）の変更をする場合、一層顕著になる。
【０００８】
本発明は、上記問題点に鑑みてなされたものであり、簡素な構成で、発光部を様々な態様で発光させることができる発光部を提供することを目的とする。
【課題を解決するための手段】
【０００９】
請求項１に記載の発明は、発光部と、携帯情報端末と通信する通信部と、前記通信部で受信した前記携帯情報端末からの信号に応じて、前記発光部を所定の発光パターンで発光させる制御部とを有する発光具である。
【００１０】
請求項２に記載の発明は、請求項１に記載の発光具において、前記携帯情報端末を保持する保持部を有する発光具である。
【００１１】
請求項３に記載の発明は、請求項２に記載の発光具において、前記携帯情報端末から電源の供給を受けるように構成されている発光具である。
【００１２】
請求項４に記載の発明は、請求項２または請求項３に記載の発光具において、前記保持部に保持されている携帯情報端末の位置情報取得部で取得した位置情報を示す信号を前記通信部で受け取ったときに、前記制御部は、前記受け取った位置情報に応じた発光パターンで、前記発光部を発光させるように構成されている発光具である。
【００１３】
請求項５に記載の発明は、請求項２〜請求項４のいずれか１項に記載の発光具において、前記保持部に保持されている携帯情報端末の加速度検出部で取得した加速度を示す信号を、前記通信部で受け取ったときに、前記制御部は、前記受け取った加速度に応じた発光パターンで、前記発光部を発光させるように構成されている発光具である。
【発明の効果】
【００１４】
本発明によれば、簡素な構成で、発光部を様々な態様（発光パターン）で発光させることができるという効果を奏する。
【図面の簡単な説明】
【００１５】
【図１】携帯端末が設置された本発明の実施形態に係る発光具の斜視図である。
【図２】携帯端末が設置された本発明の実施形態に係る発光具の正面図である。
【図３】携帯端末が設置された本発明の実施形態に係る発光具の側面図である。
【図４】本発明の実施形態に係る複数の発光具の発光態様を示す図である。
【図５】本発明の実施形態に係る複数の発光具の発光態様を示す図である。
【図６】携帯端末が設置された本発明の実施形態に係る発光具におけるＢＵＭＰ機能を示す図である。
【図７】携帯端末が設置された本発明の実施形態に係る発光具におけるスナップ機能を示す図である。
【発明を実施するための形態】
【００１６】
本発明の実施形態に係る発光具１は、たとえば、コンサート用ライトとして観客（使用者）が手に持って使用するものであり、図１〜図３で示すように、発光部３と通信部５と制御部７と電源９と保持部１１を備えて構成されている。
【００１７】
発光部３は、たとえば赤色を発光する赤色ＬＥＤと、青色を発光する青色ＬＥＤと、緑色を発光する緑色ＬＥＤとを備えて構成されており、赤色ＬＥＤ、青色ＬＥＤ、緑色ＬＥＤそれぞれの輝度（光度）を変えることで、任意に色を発光することができるようになっている。なお、赤色ＬＥＤ、青色ＬＥＤ、緑色ＬＥＤに加えて白色を発光する白色ＬＥＤが設けられていてもよい。
【００１８】
通信部５は、発光具１を使用するものが占有している携帯情報端末（たとえばスマートフォン）１３とたとえば無線で通信するようになっている。さらに説明すると、携帯情報端末１３と発光具１とは、たとえば、Ｂｌｕｅｔｏｏｔｈ等の無線通信規格によって相互に通信するようになっている。
【００１９】
なお、携帯情報端末１３から発光具１へ一方的に（一方通行で）信号を送るように構成されていてもよいし、携帯情報端末１３と発光具１とが、有線で通信するようになっていてもよい。
【００２０】
制御部７は、通信部５で受信した携帯情報端末１３からの信号（発光パターンを示す信号）に応じて、発光部３を所定の発光パターンで発光させるようになっている。
【００２１】
さらに説明すると、制御部７は、ＣＰＵ１５とメモリ１７とを備えて構成されている。携帯情報端末１３から発光具１に送られる発光パターンを示す信号は、たとえば、発光部３で発光パターンを直接的に実行できる信号（発光パターン実行信号）になっている。そして、携帯情報端末１３から送られてくる発光パターン実行信号を通信部５が受信したとき、この受信した信号を一旦メモリ１７に格納する一方で、発光部３が、発光パターン実行信号受信後、ただちに、発光パターン実行信号に基づく所定の発光パターンで発光するようになっている。
【００２２】
なお、発光パターン実行信号を受信したときから所定の時間が経過したときに、発光部３が、発光パターン実行信号に基づく所定の発光パターンで発光するようになっていてもよいし、発光パターン実行信号を受信した後、発光具１に設けられている所定のスイッチが操作されたときに（たとえば、所定のボタンが押されたときに）、発光部３が、発光パターン実行信号に基づく所定の発光パターンで発光するようになっていてもよい。
【００２３】
また、携帯情報端末１３から発光具１に送られる発光パターンを示す信号を、発光パターン実行信号ではない他の信号にしてもよい。さらに説明すると、メモリ１７に、発光パターン指示信号（たとえば、発光パターン実行信号を簡略化した信号）と、発光パターン実行信号とを、予め対応づけて記憶しておいてもよい。この場合、１の発光パターン指示信号と１の発光パターン実行信号とがお互いに対応づけられたものを１セットの指示・実行信号とし、メモリ１７に、複数セットの指示・実行信号が予め格納されているものとする。
【００２４】
そして、或る１の発光パターン指示信号を通信部５で携帯情報端末１３から受信したときに、制御部７の制御の下、この受信した発光パターン指示信号に対応した発光パターン実行信号に基づく発光パターンで、発光部３が発光するようになっていてもよい。すなわち、メモリ１７に予め格納されている複数セットの指示・実行信号から１の指示・実行信号を選択して発光部３が発光するようになっていてもよい。
【００２５】
また、発光具１の発光部３の発光パターンを示す信号は、この信号を作成するためのアプリケーションソフトがインストールされている携帯情報端末１３で作成され、この作成された信号を発光具１に送るようになっているが、クラウドサービス等を利用して携帯情報端末１３が発光パターンを示す信号を取得し、この取得した信号を発光具１に送ってもよい。
【００２６】
発光パターンとして、たとえば、色の種類（色相）と輝度を変えることなく発光し続けるパターン、色の種類（色相）、輝度（輝度が「０」である場合を含む）の少なくともいずれかを時刻の経過とともに変えるパターンを掲げることができる。
【００２７】
たとえば、赤色の輝度を変えることなく発光し続ける発光パターン、時刻の経過とともに輝度を変えて赤色で発光する発光パターン（点滅する発光パターンを含む）、時刻の経過とともに赤色から青色に移行する発光パターン等を掲げることができる。
【００２８】
保持部１１は、携帯情報端末１３を一体的に保持するようになっている。
【００２９】
発光具１についてさらに詳しく説明すると、発光具１は筐体１９を備えており、筐体１９は、グリップ（把持部）２１と発光部カバー（発光部覆い）２３とを備えて構成されている。
【００３０】
グリップ２１は黒色等の不透明な合成樹脂で有底円筒状（円筒枡状；円筒の一方の端の円形の開口部を円板で塞いだ形状）に形成されており、円筒の端部（開口している側の端部）の内周にはメスネジ部（図示せず）が形成されている。
【００３１】
発光部カバー２３は、透明もしくは乳白色等の半透明の合成樹脂で有底円筒状に形成されており、円筒の端部（開口している側の端部）の外周にはオスネジ部（図示せず）が形成されている。
【００３２】
そして、発光部カバー２３のオスネジ部がグリップ２１のメスネジ部に螺合することで、グリップ２１と発光部カバー２３とが一体化し、筐体１９が形成されている。筐体１９の内部には、円柱状の空間が形成されている。
【００３３】
筐体１９の内部には、発光部３と、通信部５と、ＣＰＵ１５とメモリ１７とを備えて構成された制御部７と、電池等で構成された電源９とが設けられている。発光部３と通信部５と制御部７と電源９とは、グリップ２１に一体的に設けられている。
【００３４】
なお、通信部５と制御部７と電源９とがグリップ２１内に設けられているのに対して、発光部３は、グリップ２１の開口部から発光部カバー２３側に突出している。そして、発光部３で発した光が、発光部カバー２３を通って、筐体１９の外部に出てくるようになっている。すなわち、発光部３が発光した色で発光部カバー２３が発光するようになっている。電源９は、制御部７や発光部３や通信部５に電力を供給するようになっている。
【００３５】
保持部１１は、筐体１９のグリップ２１に設けられている。ここで、外形が円柱状に形成されている筐体１９の中心軸の延伸方向（図１〜図３では上下方向）を長手方向とすると、保持部１１は、有底円筒状のグリップ２１から円筒の径方向（長手方向に対して直交する所定の一方向）に突出している一対の保持体（把持体）２５を備えて構成されている。
【００３６】
一対の保持体２５のうちの一方の保持体２５Ａは、グリップ２１の基端側（発光部カバー２３から離れた側；図１〜図３では下側）で、グリップ２１に一体的に設けられている。
【００３７】
一対の保持体２５のうちの他方の保持体２５Ｂは、グリップ２１の先端側（発光部カバー２３側；図１〜図３では上側）で、グリップ２１に設けられている。
【００３８】
グリップ２１には、保持体・操作部２７が設けられており、この保持体・操作部２７が操作されているときには（たとえば押されているときには）、他方の保持体２５Ｂがグリップ２１に対して筐体１９の長手方向で移動自在になっている。保持体・操作部２７が操作されていないときには、他方の保持体２５Ｂがグリップ２１と一体化するようになっている。
【００３９】
発光具１に携帯情報端末１３に設置するときには次のようにする。
【００４０】
筐体１９の長手方向における保持体２５Ａと保持体２５Ｂとの寸法の値を携帯情報端末１３の幅寸法の値よりも大きくしておく。携帯情報端末１３の幅方向を筐体１９の長手方向と一致させておいて、携帯情報端末１３の幅方向の一端を、保持体２５Ａの当接部２５ＡＡに当接させる。
【００４１】
続いて、保持体・操作部２７を操作して保持体２５Ｂを保持体２５Ａ側に移動し、保持体２５Ｂの当接部２５ＢＢを携帯情報端末１３の幅方向の他端に当接させ、保持体・操作部２７の操作を解除することで、保持体２５Ａ（当接部２５ＡＡ）と保持体２５Ｂ（当接部２５ＢＢ）とで、携帯情報端末１３を挟み込む。これにより、発光具１と携帯情報端末１３とが一体化して、発光具１に携帯情報端末１３が設置される。
【００４２】
発光具１に携帯情報端末１３が設置されている状態では、携帯情報端末１３の幅方向と筐体１９の長手方向（図２、図３では上下方向）とがお互いに一致しており、携帯情報端末１３の厚さ方向と円柱状の筐体１９の径方向のうちの所定の一方向（図２の紙面に直交する方向；図３の左右方向）とがお互いに一致している。
【００４３】
さらに、発光具１に携帯情報端末１３が設置されている状態では、携帯情報端末１３の縦方向（高さ方向；長手方向）と円柱状の筐体１９の径方向のうちの所定の他の一方向（図２の左右方向；図３の紙面に直交する方向）とがお互いに一致している。また、携帯情報端末１３はこの長手方向（図２の左右方向）の中央部が、発光具１の保持部１１に保持されている。
【００４４】
保持体２５Ａの当接部２５ＡＡ、保持体２５Ｂの当接部２５ＢＢは、たとえば、Ｖ溝状に形成されており、このＶ溝の表面には、所定の厚さの弾性体の板（たとえばゴム板）２９が張り付けられている。発光具１に携帯情報端末１３が設置されている状態では、ゴム板２９が挟み込まれて圧縮され弾性変形しており、この弾性変形しているゴム板２９の反発力で携帯情報端末１３が付勢され、一対の保持体２５に保持されている。
【００４５】
また、グリップ２１には、発光具１の電源のオン・オフや、携帯情報端末１３を使用することなく発光部３での発光パターンを変えるときに使用される操作部（たとえば押しボタンスイッチ）３０が設けられている。
【００４６】
次に、発光具１の動作について説明する。
【００４７】
初期状態では、発光具１の電源と携帯情報端末１３の電源とはオンになっており、携帯情報端末１３が発光具１に設置されているものとする。
【００４８】
この初期状態で、携帯情報端末１３が操作されて携帯情報端末１３から発光具１に発光パターンを示す信号が送られると、この送られてきた信号に基づいた発光パターンで発光部３が発光する。
【００４９】
なお、携帯情報端末１３から発光具１に複数の発光パターンを示す信号が順に送られたときには、発光具１は、たとえば、各発光パターンを示す信号をメモリ１７に順に格納し、このメモリ１７に順に格納した各発光パターンを示す信号に基づき、受信した発光パターン順に発光部３が発光する。
【００５０】
発光具１によれば、通信部５で受信した携帯情報端末１３からの信号（発光パターンを示す信号）に応じて、発光部３が所定の発光パターンで発光するので、多数の押しボタン等を設ける必要が無くなり構成が簡素化されるとともに、携帯情報端末１３を用いることで、様々な発光パターンの設定が容易にでき、発光部３を様々な態様の発光パターンで発光させることができる。
【００５１】
また、発光具１によれば、携帯情報端末１３を保持する保持部１１を有するので、携帯情報端末１３と発光具１との一体化をはかることかでき、発光具１とこれと一体化している携帯情報端末１３との、コンサート会場での取り扱いがしやすくなる。
【００５２】
ところで、発光具１において、保持部１１に保持されている携帯情報端末１３から電源の供給を受けるように構成されていてもよい。これにより、発光具１の構成を一層簡素化することができる。
【００５３】
また、図４で示すように、通信機器の例である１台の携帯情報端末１３（１３Ａ）によって、複数の発光具１が所定の発光パターン（携帯情報端末１３Ａから送られてきた発光パターンを示す信号に基づいた発光パターン）で発光するようにしてもよい。
【００５４】
この場合、各発光具１は、携帯情報端末１３Ａと通信可能なリンクモードに設定することができる。そして、各発光具１のうちのリンクモードに設定されている発光具１（１Ａ）のみが、携帯情報端末１３Ａから送られてきた発光パターンで発光（たとえば、赤色で発光）し、残りの発光具１（１Ｂ）は、発光しないか別の発光パターンで発光（たとえば、青色で発光）する。
【００５５】
なお、図４で示す発光具１には、保持部１１が設けられていないが、保持部１１が設けられていてもよい。保持部１１が設けられている態様では、保持部１１に携帯情報端末が設置されていなくてもよいし、保持部１１に携帯情報端末が設置されていてもよい。
【００５６】
図４で示す発光具１に携帯情報端末が設置されており、リンクモードになっている態様では、たとえば、携帯情報端末１３Ａから送られてきた発光パターンを示す信号を、発光具１に設置されている携帯情報端末が受信し、この受信した信号が、携帯情報端末が設置されている発光具１に送られ、発光具１が発光するようになっている。
【００５７】
また、携帯情報端末１３を用いることなく、携帯情報端末１３Ａから送られてきた発光パターンを示す信号を、リンクモードになっている発光具１で受け取り、発光具１が発光するようになっていてもよい。
【００５８】
ところで、発光具１が、保持部１１に保持されている携帯情報端末１３の位置情報取得部３１で取得した位置情報（発光具１と携帯情報端末１３との位置情報を示す信号）もしくはこの位置情報に対応した信号を、通信部５で受け取るように構成されていてもよい。
【００５９】
そして、通信部５で位置情報を受け取ったときに、制御部７が、受け取った位置情報に応じた発光パターンで、発光部３を発光させるように構成されていてもよい。
【００６０】
携帯情報端末１３の位置情報取得部３１について、屋根付きであって多数の客席が設けられているコンサート会場（ＧＰＳ等の即位システムが使えないコンサート会場）を例に掲げて説明する。
【００６１】
図５で示すように、客席（図５では発光具１の位置に図示しない客席が配置されている）は前後方向および横方向にならんで配置されており、客席にはバーコード等の識別符号が付されている。識別符号は、客席の前後方向の位置（たとえば前から２列目）と横方向の位置（たとえば、客席からステージに向かって見たときに左から４列目）とを示す情報を含んでいる。したがって、各客席のそれぞれに付されているバーコードはお互いが異なっている。
【００６２】
携帯情報端末１３には、位置情報取得部３１を構成するカメラが設けられている。そして、観客が自分の座る客席のバーコードをカメラで撮影することで、自分が座る客席（コンサート会場での自分が使用する発光具の位置情報）を取得することができるようになっている。
【００６３】
なお、ＧＰＳ等の測位システムを利用できるのであれば、携帯情報端末１３が測位システムによって位置情報を取得してもよい。
【００６４】
携帯情報端末１３のメモリには、位置情報と発光パターンを示す信号とが予め対応づけて記憶されている。さらに、１の位置情報と１の発光パターンを示す信号とがお互いに対応づけられたものを１セットの位置・発光信号とすると、携帯情報端末１３のメモリには、複数セットの位置・発光信号が予め格納されている。
【００６５】
そして、図５で示すように、サーバ３５から通信機器の例である無線ルータ３３（電波局でもよい）を介して発光開始信号を、発光具１に設置されている携帯情報端末１３がこの通信部を介して受信したときに、携帯情報端末１３は、所定の発光パターンを示す信号を発光具１に送るようになっている。
【００６６】
なお、上記所定の発光パターンを示す信号は、複数セットの位置・発光信号うちの１つの位置・発光信号で示される発光パターンを示す信号であって、携帯情報端末１３の位置情報取得部３１が取得した位置情報に対応した発光パターンを示す信号である。
【００６７】
これにより、発光パターンを示す信号を通信部５で受信した発光具１の発光部３が、この受信した信号に基づいて発光するようになっている。なお、図５では、複数の発光具１のそれぞれに設置されている携帯情報端末の表示を省略している。
【００６８】
このような制御がされることで、たとえば、図５で示すような「Ｚ」の文字が浮き上がる。すなわち、図５で示す各発光具１のうちで発光部カバー２３のところが斜線になっているものは、発光部カバー２３（発光部３）が赤色に発光していることを示しており、図５で示す各発光具１のうちの他の発光具１は、発光部カバー２３（発光部３）が緑色に発光していることを示している。
【００６９】
なお、無線ルータ３３等の通信機器が発する所定の信号として、複数の位置情報を非常に短い時間で順に連続して送り、発光具１に設置されている携帯情報端末１３が受け取った位置情報と、携帯情報端末１３の位置情報取得部３１が取得した位置情報とがお互いに一致したときに、携帯情報端末１３から発光具１に、一致した位置情報に対応する発光パターンを示す信号を送るようになっていてもよい。
【００７０】
さらに、携帯情報端末１３のメモリに複数の位置・発光信号を格納しておくことに代えて、発光具１の制御部７のメモリ１７に、複数セットの位置・発光信号を予め格納しておいてもよい。
【００７１】
そして、携帯情報端末１３が無線ルータ３３等から受け取った位置情報と、携帯情報端末１３の位置情報取得部３１が取得した位置情報とがお互いに一致したときに、携帯情報端末１３から発光具１に、上記一致した位置情報を送るようになっていてもよい。この場合、位置情報を受け取った発光具１は、受け取った位置情報に対応した発光パターンで発光するようになっている。
【００７２】
また、発光具１の制御部７のメモリ１７に、複数セットの位置・発光信号を予め格納しておくとともに、位置情報取得部を設けて、発光具１が発光するようにしてもよい。
【００７３】
携帯情報端末１３の位置情報取得部３１等の機能を発光具１に持たせて、携帯情報端末を用いることなく、無線ルータ３３等の通信機器と発光具１で所定の発光パターンでの発光をするようにしてもよい。
【００７４】
すなわち、発光具１に位置情報取得部を設け、制御部７が、位置情報取得部で取得した位置情報に応じた発光パターンで発光部３を発光させるように構成してもよい。
【００７５】
なお、図５に示すサーバ３５は、コンサート会場で使用される複数の発光具１を制御するのであるが、サーバ３５への発光パターン（複数の発光具１を用いて図５で示すようの文字を浮かび上がらせる等の発光形態）の入力は、パーソナルコンピュータ４１や操作卓３９や別の携帯情報端末１３Ｂからなされる。
【００７６】
また、サーバ３５のメモリに複数セットの位置・発光信号を予め格納しておき、複数セットの位置・発光信号を非常に短い時間で順に連続して無線ルータ３３から各発光具１（形態情報端末１３）に送り、携帯情報端末１３が無線ルータ３３から受け取った位置情報と、携帯情報端末１３の位置情報取得部３１が取得した位置情報とがお互いに一致したときに、携帯情報端末１３から発光具１に、発光パターンを示す信号（一致した位置情報と対応して送られてきた信号）を送るようになっていてもよい。
【００７７】
また、コンサート会場で使用される複数の発光具１の制御が、照明制御する為のＤＭＸ等の通信プロトコルでなされてもよい。
【００７８】
このように構成された発光具１によれば、位置情報取得部３１で取得した位置情報に応じた発光パターンで発光部３が発光するので、コンサート会場で発光具１を使用する観客の位置によって、たとえば、発光色を変えることができ、コンサート会場で多数の発光具１を用いて文字や図柄等を描くことができる。そして、コンサート会場での雰囲気を一層高めることができる。
【００７９】
また、位置情報取得部３１が、ＧＰＳ等の測位システムで位置情報を所得すれば、コンサーチ会場で発光具１を持った観客が席（位置）を移動しても、図５で示すような「Ｚ」の文字が浮き上がらせることができる。
【００８０】
ところで、発光具１の通信部５が、保持部１１に保持されている携帯情報端末１３の加速度検出部３７で取得した加速度もしくはこの加速度に対応した信号を受け取ったときに、発光具１の制御部７が、受け取った加速度もしくは加速度に対応した信号に応じた発光パターンで、発光部３を発光させるように構成されていてもよい。
【００８１】
たとえば、図６で示すように、携帯情報端末１３を保持している発光具１にＢＵＭＰ機能を持たせ、携帯情報端末１３を保持している一対の発光具１同士で情報を交換できるようにしてもよい。
【００８２】
例を掲げて説明すると、携帯情報端末１３を保持している一方の発光具１Ａを静止しておいて、携帯情報端末１３を保持している他方の発光具１Ｂを動かして一方の発光具１Ａにぶつける。すると、発光具１Ａが保持している携帯情報端末１３の加速度検出部３７と、発光具１Ｂが保持している携帯情報端末１３の加速度検出部３７のそれぞれが加速度を検出する。
【００８３】
ただし、ぶつける前の発光具１Ａは静止しており、ぶつける前の発光具１Ｂは動いているので、発光具１Ａが保持している携帯情報端末１３の加速度検出部３７が検出した加速度の波形と、発光具１Ｂが保持している携帯情報端末１３の加速度検出部３７が検出した加速度の波形とは、お互いが異なっている。
【００８４】
そこで、携帯情報端末１３を介して、発光具１Ｂのから発光パターンを発光具１Ａに送り、発光具１Ａが、発光具１Ｂの発光パターンで発光する。たとえば、ぶつける前は、赤色で発光していた発光具１Ａが、発光具１Ｂと同じ青色で発光する。
【００８５】
また、図７で示すように、携帯情報端末１３を保持している発光具１を振り、発光具１が保持している携帯情報端末１３の加速度検出部３７で振った回数をカウントし、このカウント数に対応した発光パターンで発光具１が発光するようになっていてもよい。
【００８６】
このように、加速度検出部３７で取得した加速度に応じた発光パターンで、発光部３が発光するので、面倒な押しボタンの操作をすることなく、発光部３の発光パターンを変更することができる。
【００８７】
ところで、上記説明では、携帯情報端末１３を発光具１に設けているが、携帯情報端末１３の加速度検出部３７等の機能を発光具１に持たせて、携帯情報端末を用いることなく、発光具１だけで所定の発光パターンでの発光をするようにしてもよい。
【００８８】
すなわち、発光具１に加速度検出部３７を設け、発光具１の制御部７が、加速度検出部３７で取得した加速度に応じた発光パターンで発光部３を発光させるように構成されていてもよい。
【００８９】
さらに、携帯情報端末１３が設けられている発光具１は、人気投票、２択等のアンケート、ゲーム、ガチャ、ショッピング、ＴＶのｄボタンのような機能等、携帯情報端末１３で可能なことができるようになっているが、携帯情報端末１３を用いることなく、発光具１だけで、人気投票等の上述した機能を有していてもよい。
【００９０】
また、発光具１に設けられている携帯情報端末１３の画面を、発光具１の発光部カバー２３（発光部３）と同じ発光パターンで発光させてもよい。
【符号の説明】
【００９１】
１  発光具（コンサート用ライト）
３  発光部
５  通信部
７  制御部
１１  保持部
１３  携帯情報端末（スマートフォン）
３１  位置情報取得部
３７  加速度検出部
【図１】
2018142467.tif 000003
【図２】
2018142467.tif 000004
【図３】
2018142467.tif 000005
【図４】
2018142467.tif 000006
【図５】
2018142467.tif 000007
【図６】
2018142467.tif 000008
【図７】
2018142467.tif 000009